(57)【特許請求の範囲】
【請求項１】
断面多角形の筒形状でそれぞれの多角形頂点が角部となって外側に張り出す筒状の苗木保護カバーであって、少なくとも１つの角部の所定部位には、所定幅の角部を内側に陥没せしめることの出来る切れ目が設けられることを特徴とする苗木保護カバー。
【請求項２】
請求項１に記載の苗木保護カバーにおいて、前記切れ目によって内側に陥没する所定幅の角部と、その周辺の外側に張り出す角部との間には、支柱等を差込むことの出来る空間部が形成されることを特徴とする苗木保護カバー。
【発明の詳細な説明】
【０００１】
【発明の属する技術分野】
本発明は、苗木を保護するため苗木の周囲に被せられる合成樹脂等の保護カバーに関する。
【０００２】
【従来の技術】
従来、例えば山林等に植樹した苗木を野生動物等から保護するため、例えば図５に示すように、植樹した苗木Ｎの周囲に合成樹脂製の筒状の保護カバー５１を立設して苗木の周囲を覆い、必要に応じて下端の一部を土中に埋め込んで、鹿やウサギやネズミ等の野生動物による食害を防止するような技術が知られている。この際、保護カバー５１が倒れないよう、周囲に支柱等５２を立てて紐５３等で縛って固定することがある。
【０００３】
【発明が解決しようとする課題】
ところが、上記のように保護カバー５１を紐５３等で縛り付けて固定すると、保護カバー５１は合成樹脂製で比較的筒形が崩れやすいため、きつく縛り過ぎると筒が潰れたり、形がくずれたりするような不具合があり、苗木の健全な成長を阻害する要因になるという問題がある。
【０００４】
一方、支柱５２に固定する際、保護カバー５１の形状が崩れるのを防止するため、例えば保護カバー５１の外周面に所定幅の合成樹脂製の補助具を嵌着し、この保持具に紐５３等を結ぶことの出来る突起等を設けるような方法が考えられるが、この場合は、部品点数が増加して設置作業も手間取るようになる。
【０００５】
本発明は上記問題点に鑑みなされたものであり、保護カバーを支柱に固定するにあたり、確実に固定出来て、しかも保護カバーの形状が崩れるのを防止し、また部品点数の増加を招かないようにすることを目的とする。
【０００６】
【課題を解決するための手段】
上記目的を達成するため本発明は、断面多角形の筒形状でそれぞれの多角形頂点が角部となって外側に張り出す筒状の苗木保護カバーにおいて、少なくとも１つの角部の所定部位に、所定幅の角部を内側に陥没せしめることの出来る切れ目を設けた。
【０００７】
このように、所定幅の角部を内側に陥没させることの出来る切れ目を設ければ、例えば、この所定幅の角部に紐等の一端側を結び付けて他端側を支柱に結び付けて固定したり、または、陥没した角部によって生じる隙間に直接支柱を挿入したりして保護カバーを固定出来るようになり、格段の補助具等を必要とせずに保護カバーを固定出来る。
【０００８】
この際、紐等を結び付けて支柱に固定する場合は、切れ目のサイズや形状を、紐等を通すことの出来るに必要なサイズや形状にし、また、直接支柱を通して固定する場合は、陥没部に支柱を通すことの出来る空間部が確保されるような切れ目のサイズ等にするが、角部に切れ目を設ければ、平坦部等に切れ目を設けることに較べて、保護カバーの剛性確保上有利であり、また隙間が容易に形成される。このため、紐等を通したり、支柱を通したりする作業を楽に行うことが出来る。
【０００９】
この際、上記のような保護カバーは、例えば平坦状の合成樹脂シートを成形し、角部となる部分に平行な折り目線を形成した後、陥没させ角部に切れ目を形成し、必要に応じて陥没させる角部の裏側に逆の折り目線を形成した後、折り目線で折り曲げて接合端部を貼り合わせて筒形状にするだけで良く、簡単な工程で製造出来る。
【００１０】
因みに、このように内側に陥没する角部は、１箇所でも複数箇所でも良いが、例えば１つの稜線に上下２箇所程度設ければ、支柱に確実に固定することが出来、さらに複数の稜線に設ければ、複数の支柱により更に確実に固定することが出来る。
また、任意の角部において、陥没していない部分の長さの総計は、陥没している部分の長さの総計より長くても短くても良い。
【００１１】
また請求項２では、前記切れ目によって内側に陥没する所定幅の角部と、その周辺の外側に張り出す角部との間に、支柱等を差込むことの出来る空間部を形成するようにした。
【００１２】
このように直接支柱を挿入して固定出来るようにすれば、よりしっかりと定位置に固定することが出来、また、紐等が不要なため、シンプルな構成にすることが出来る。
また、このような空間部を形成すれば、支柱を通した場合でも支柱との隙間を通して空気が流通するようになり、例えば昼夜間等の温度差が少なくなって筒内温度が異常に高まったりするような不具合が抑制される。
【００１３】
【発明の実施の形態】
本発明の実施の形態について添付した図面に基づき説明する。
ここで図１は本発明に係る苗木保護カバーの一例を示す斜視図、図２は図１のＡ−Ａ線断面図、図３は断面形状が異なる保護カバーの場合の説明図、図４は使用例を示す斜視図である。
【００１４】
本発明に係る苗木保護カバー用形状保持具は、例えばスギやヒノキやその他の広葉樹等の苗木を植樹した際、野生動物等の食害から苗木を保護するため設置される筒状の保護カバー１に関し、特に苗木の周囲を取り囲むように被せられた後、定位置に固定するために便利なようにされている。
【００１５】
すなわち、この保護カバー１は、図１に示すように、断面が多角形状の合成樹脂製の筒体で両端部が開口する形態にされ、多角形の頂点が角部となって外側に張り出して稜線ｒを形作るような形態にされている。
【００１６】
因みに、筒の断面形状を円形にする場合もあるが、製造工場等で筒型に成形し、現場に搬送して定置するような場合に、断面円形では嵩が増えて取り扱いに不便であり、稜線ｒに沿って折り畳んで潰した形態に出来る断面多角形状は、搬送等の取り扱いに便利であり、また現場で容易に復元させて設置出来ることから多用されており、本発明では、この断面多角形状の保護カバーを前提にしている。
以下、保護カバー１の詳細について説明する。
【００１７】
この保護カバー１は、例えばポリプロピレン（ランダムポリプロピレン、ブロックポリプロピレン、シンジオタクチックポリプロピレン）、ポリエチレン（高密度ポリエチレン、中密度ポリエチレン、低密度ポリエチレン、メタロセン触媒を用いて重合したポリエチレン）、エチレン系共重合体等のポリオレフィン、または硬質または半硬質ポリ塩化ビニル、またはオレフィン系モノマーと塩化ビニルモノマーとの共重合合成樹脂、またはこれらの混合物等から成形され、例えば厚みが０．５〜１．０ｍｍ程度、高さが約１８００ｍｍ、内径（コーナ部の対角線長さ）が約１２０ｍｍ程度にされている。
【００１８】
また、前記稜線ｒのうち上方の対向２箇所と、下方の対向２箇所には、陥没角部２が設けられている。
この陥没角部２は、稜線ｒに対して直交方向に所定幅で刻設される一対の切れ目ｋによって構成され、この陥没角部２の裏側には、稜線ｒに対応する箇所に谷折りの折り目線が形成されて内側に向けて陥没するように折り曲げられている。
【００１９】
そして、図２にも示すように、陥没角部２とその周辺の外側に張り出す角部との間に、支柱３を差込むことの出来る空間部ｈが形成されるようにしている。
【００２０】
また、実施形態では、保護カバー１の上端開口部の端部を鋭利にしておけば、成長した苗木の枝等が接触した際に鋭利な部分で損傷するおそれがあるため、所定長さ分内側に折り返して、折返し端部を切り込み孔に差込むことで開口端部附近を滑らかにするようにし、苗木の枝等が開口部端部に接触して損傷するのを防止している。
【００２１】
以上のような保護カバー１は、例えば押出機のＴダイから押出してシート状の成形物を成形し、所定の形状に打抜くとともに稜線ｒに対応する部分に折り目線を形成し、また、陥没角部２を形成するための切れ目ｋを形成する。
また、必要に応じて、陥没角部２の裏側に逆の折り目線を形成する。
【００２２】
そして、折り目線に沿って折り曲げて筒型形状にし、端部を接着剤または超音波溶着等の任意の手段で固着すれば良く、極めて簡単に製造出来る。
尚、断面多角形の形状は任意であり、図３に示すような八角形にすることも可能であり、またその他の多角形でも良い。
【００２３】
以上のような保護カバー１は、図４に示すように、陥没角部２によって形成される空間部ｈに支柱３を通し、この支柱３を土中に埋め込んで固定すれば、極めてしっかりと保護カバー１を固定することが出来る。
また、支柱３と空間部ｈとの間には隙間が形成されるため、この隙間を通して筒内の空気が外部と流通し、昼夜間の温度差が少なくなって苗木Ｎの育成環境を良好にすることが出来る。
因みに、保護カバー１の下端周辺の土盛り等を行って一部を埋め込むようにすれば、ネズミ等の小動物の侵入が阻止されて好ましい。
【００２４】
ところで、以上のような実施形態では、支柱３を２本設ける場合を例にとって説明したが、この支柱３は１本だけでも、または３本以上でも良く、また、陥没角部２の数は、１つの稜線ｒに２個以外の数にしても良い。
【００２５】
また、本実施形態では、陥没角部２によって支柱３を差込むことの出来る空間部ｈを形成する場合を例にとって説明したが、切れ目ｋを紐等を通すことの出来る程度の大きさにして陥没角部２を僅かに陥没させることが出来るようにし、近傍に立設した支柱３と陥没角部２の間を紐等で結んで固定するようにしても良い。
【００２６】
尚、本発明は以上のような実施形態に限定されるものではない。本発明の特許請求の範囲に記載した事項と実質的に同一の構成を有し、同一の作用効果を奏するものは本発明の技術的範囲に属する。
例えば筒型形状やサイズ等は一例であり、また合成樹脂材料等も任意である。
更に、陥没角部２の位置や、切れ目ｋのサイズや形状等も任意である。
【００２７】
【発明の効果】
以上のように本発明に係る苗木保護カバーは、断面多角形の筒状の苗木保護カバーにおいて、角部の所定部位に、所定幅の角部を内側に陥没せしめることの出来る切れ目を設けたため、格段の補助具等を用いなくても支柱に対して容易に固定することが出来る。
この際、請求項２のように、切れ目によって内側に陥没する所定幅の角部によって、支柱等を差込むことの出来る空間部を形成すれば、紐等が不要となってよりシンプルな構成にすることが出来、また支柱との隙間を通して空気が流通するようになり、苗木の育成に適した環境造りが可能となる。
【図面の簡単な説明】
【図１】本発明に係る苗木保護カバーの一例を示す斜視図
【図２】図１のＡ−Ａ線断面図
【図３】断面形状が異なる保護カバーの場合の説明図
【図４】使用例を示す斜視図
【図５】従来の保護カバーの説明図
【符号の説明】
１…保護カバー、２…陥没角部、３…支柱、ｈ…空間部、ｋ…切れ目、ｒ…稜線。
【図１】
0003982942.tif 000002
【図２】
0003982942.tif 000003
【図３】
0003982942.tif 000004
【図４】
0003982942.tif 000005
【図５】
0003982942.tif 000006